(57)【要約】 【課題】  本発明は、コンクリート等を破壊するハンマードリルに関する発明である。【解決手段】  本発明は、上部左右に突出してハンドル５ｂ、５ｂを備えた駆動部本体５ａと、タンク５ｃからなる駆動部５と本体６ａからなる可動部６と固定部９及び連結部１０からなる接続部７と作動部８からなるハンマードリル２と、内部にグラスウール４ｄとパンチングパイプ４ｅを備え外部にホース接続部４ｂと排出部４ｃを備えた消音器４と、前記ハンマードリル２と消音器４を接続するホース３とからなることを特徴とする消音器付ハンマードリル１の構成とした。【選択図】  図１
2006051595.tif 000002
【特許請求の範囲】
【請求項１】
上部左右に突出してハンドルを備えた駆動部本体とタンクからなる駆動部と本体からなる可動部と固定部及び連結部からなる接続部と作動部からなるハンマードリルと、内部にグラスウールとパンチングパイプを備え外部にホース接続部と排出部を備えた消音器と、前記ハンマードリルと消音器を接続するホースとからなることを特徴とする消音器付ハンマードリル。
【請求項２】
操作用のハンドルを備えエンジンを駆動させる駆動部、前記駆動部の下に連設され上下にピストン運動を繰り返す可動部、前記可動部の下に連設され前記可動部と連動して尖った棒が動作する作動部、外周上に管状の突起が設けられ内周面に溝を有する半円筒状の前体と後体を接合することにより前記駆動部又は可動部の表面に被せる接続部、及び前記接続部の突起に螺着するパイプ状の連結部からなるハンマードリルと、前記ハンマードリルによる騒音を、無数の孔を穿設したパンチングパイプ及び前記パンチングパイプの外周を覆うグラスウールにより小さくする消音器と、一端を前記ハンマードリルの連結部に接続し、他端を前記消音器に接続した管状のホースとからなることを特徴とする消音器付ハンマードリル。
【発明の詳細な説明】
【技術分野】
【０００１】
本発明は、コンクリート等を破壊する際に使用するハンマードリルの改良に関する発明である。
【背景技術】
【０００２】
従来のハンマードリルは、アスファルトやコンクリート等の硬いものを壊す機械であった。
【特許文献１】特開２０００−１１７５１７号公報
【０００３】
しかしながら、従来のハンマードリルは機械音やコンクリート等を破壊する際に発生する音がうるさく使用する者にとってはとてもうるさく、また近隣住民にとっても迷惑であった。
【発明の開示】
【発明が解決しようとする課題】
【０００４】
そこで、本発明は、ハンマードリル２に消音器４を付けることで作業する際の音を小さくし、作業する者にとっては作業しやすく、近隣住民にとって迷惑にならない消音器付ハンマードリルを提供することを目的をするものである。
【課題を解決するための手段】
【０００５】
本発明は、上記の課題を解決するために、上部左右に突出してハンドル５ｂ、５ｂを備えた駆動部本体５ａとタンク５ｃからなる駆動部５と本体６ａからなる可動部６と固定部９及び連結部１０からなる接続部７と作動部８からなるハンマードリル２と、内部にグラスウール４ｄとパンチングパイプ４ｅを備え外部にホース接続部４ｂと排出部４ｃを備えた消音器４と、ハンマードリル２と消音器４を接続するホース３とからなることを特徴とする消音器付ハンマードリル１の構成とした。
【発明の効果】
【０００６】
本発明の消音器付ハンマードリルは、消音器が着脱可能に取り付けるために作業の際に発生する騒音が、極めて小さく作業者にとっては作業しやすく、作業現場の近隣住民にとっては騒音が迷惑とならずに使用できる。
【発明を実施するための最良の形態】
【０００７】
作業中の騒音を抑え、作業者が作業しやすく、近隣住民に迷惑とならないハンマードリルという目的を、消音器を付けることによって実現した。
【実施例１】
【０００８】
本発明は、ハンマードリル２に消音器４をホース３を介して接続することにより、ハンマードリル２から発生するエンジンの駆動騒音を除去し、騒音の発生を極めて少なくしたハンマードリルを開発したものである。
【０００９】
図１は、本発明である消音器付ハンマードリルの正面図である。図１に示すように、本発明である消音器付ハンマードリル１は、ハンマードリル２と消音器４とハンマードリル２と消音器４を接続するホース３とからなる。
【００１０】
ハンマードリル２は、駆動部５と可動部６と接続部７と作動部８とからなる。そして、接続部７は、固定部９と連結部１０とからなる。
【００１１】
図２は、本発明である消音器付ハンマードリルのハンマードリルの正面図である。図２に示すように、ハンマードリル２は、上部左右にハンドル５ｂ、５ｂを備えた駆動部本体５ａとタンク５ｃからなる駆動部５と、駆動部５の下に接続され上下にピストン運動を繰り返す本体６ａからなる可動部６と、駆動部５の前面に接続された固定部９と連結部１０からなる接続部７と、可動部６の下に接続され先端８ｂが尖った棒８ａからなる作動部８とからなり略Ｔ字型を呈している。
【００１２】
図３は本発明である消音器付ハンマードリルのハンマードリルの接続部の正面拡大図、図４はハンマードリルの接続部の側面拡大図、図５はハンマードリルの接続部の側面断面図である。
【００１３】
図３及び図４に示すように、ハンマードリル２の接続部７は、固定部９と連結部１０とからなる。固定部９は、中央に中空の接続部９ｃを備えた固定部本体９ａと固定部本体９ａの背面の敷かれた遮音シート９ｅからなり、接続部９ｃの外周にはネジ山９ｄが設けられている。固定部９は、ハンマードリル２の駆動部５とナット９ｂ、９ｂ、９ｂ、９ｂにより連結固定されている。
【００１４】
連結部１０は、略への字状をした中空の連結部本体１０ａと左右に突起１０ｃ、１０ｃを備えた連結部材１０ｂとからなり、連結部材１０ｂを固定部９の接続部９ｃに螺着して接続する。
【００１５】
図５は、本発明である消音器付ハンマードリルのハンマードリルの接続部の側面断面図である。図５に示すように、固定部９の固定部本体９ａには孔９ｇが穿設されており、接続部９ｃには孔９ｆが穿設されており、遮音シート９ｅの中央部には、消音器付ハンマードリル１のハンマードリル２からの排気ガスを排気するための孔９ｈが穿設されている。  
【００１６】
連結部１０の本体１０ａと連結部材１０ｂは回動可能に連結しており、本体１０ａの内部は中空１０ｄとなっている。本体１０ａの先端にホース３の本体３ａを取付け、本体３ａのもう一端は消音器４へ接続して使用する。尚、符号３ｂは、ホース３内が中空であることを示している。
【００１７】
図６は、本発明である消音器付ハンマードリルの消音器の断面図である。消音器４は内部にパンチングパイプ４ｅを内接した中空の消音器本体４ａからなり、消音器本体４ａの両端からは、パンチングパイプ４ｅのホース接続部４ｂと排出部４ｃが突出している。
【００１８】
パンチングパイプ４ｅには無数の孔４ｆ、４ｆ、４ｆ・・・が穿設されており、パンチングパイプ４ｅの外周はグラスウール４ｄで覆われている。ハンマードリル２の連結部本体１０ａに取り付けられたホース３の残りの一端が消音器４のホース接続部４ｂに接続される。
【００１９】
ハンマードリル２より発生する騒音は、ホース３を通り消音器４のパンチングパイプ４ｅとグラスウール４ｄにより消音される。
【実施例２】
【００２０】
図７は、本発明である消音器付ハンマードリルの第２実施例の斜視図であり、図８は、本発明である消音器付ハンマードリルの第２実施例の正面図である。
【００２１】
消音器付ハンマードリル１ａは、操作用のハンドルを備えエンジンを駆動させる駆動部５、前記駆動部５の下に連設され上下にピストン運動を繰り返す可動部６、前記可動部６の下に連設され前記可動部６と連動して尖った棒が動作する作動部８、外周上に管状の突起１１ｂが設けられ内周面に溝１１ｅを有する半円筒状の前体１１ｉと後体１１ｊを接合することにより前記駆動部５又は可動部６の表面に被せる接続部１１、及び前記接続部１１の突起１１ｂに螺着するパイプ状の連結部１０からなるハンマードリル２と、前記ハンマードリル２による騒音を、無数の孔を穿設したパンチングパイプ４ｅ及び前記パンチングパイプ４ｅの外周を覆うグラスウール４ｄにより小さくする消音器４と、一端を前記ハンマードリル２の連結部１０に接続し、他端を前記消音器４に接続した管状のホース３とからなることを特徴とする。
【００２２】
消音器付ハンマードリル１ａは、ハンマードリル２と、消音器４と、ホース３とからなる。ハンマードリル２にホース３を介して消音器４を接続することにより、ハンマードリル２のエンジンの駆動により発生する騒音を除去することができる。
【００２３】
更に、ハンマードリル２は、駆動部５、可動部６、作動部８、接続部１１、及び連結部１０からなる。ハンマードリル２は、アスファルトやコンクリート等の硬い材質のものを破壊する機械であり、非常に大きな騒音を伴うことが多い。
【００２４】
駆動部５は、ハンドルやエンジンなどを備える。ハンドルは、使用者がハンマードリル２を扱う際に両手又は片手で握る箇所であり、エンジンを起動したり停止したりするスイッチなども設けることができる。
【００２５】
可動部６は、駆動部５の下側に連設されており、エンジンから動力を得て、上下にピストン運動を繰り返す。尚、駆動部５のエンジンや可動部６の動作部分などが騒音の主な原因となるので、騒音の発生箇所に対して消音措置を施す必要がある。
【００２６】
作動部８は、可動部６の下側に連設された先端が尖った棒であり、アスファルトやコンクリート等の硬い材質に当てる部分である。可動部６の上下運動に連動して動作することにより、当該硬い材質を破壊する。
【００２７】
接続部１１は、騒音の原因となる箇所の周囲を覆うように被せる環状の部材である。内周面には騒音を和らげるための溝１１ｅが設けられ、外周上には孔１１ｆの空いた管状の突起１１ｂが取り付けられ、孔１１ｆを通じて騒音を消音器に送る。
【００２８】
連結部１０は、接続部１１とホース３の形状の違いから、両者を中継して繋ぎやすくするためのパイプ状の部材である。接続部１１側は、突起１１ｂに螺着させ、ホース３側は、本体３ａの内側に挿入する。
【００２９】
消音器４は、一端がホース接続部４ｂ、他端が排出部４ｃとなる筒状の機器であり、内部には、消音効果のあるパンチングパイプ４ｅとパンチングパイプ４ｅの外周を覆うように設けられたグラスウール４ｄとが存在する。
【００３０】
パンチングパイプ４ｅは、管状の部材に無数の孔４ｆを穿設したものであり、内部を通過する騒音を緩衝する効果がある。また、グラスウール４ｄは、ガラスの極めて細かい繊維の集まりで出来た綿状体であり、同様に騒音を小さくする効果がある。
【００３１】
ホース３は、ハンマードリル２と消音器４を接続し、ハンマードリル２で発生した騒音を消音器４に送るための管状の器具である。一端は、ハンマードリル２の連結部１０に取り付け、他端は、消音器４のホース接続部４ｂに取り付ける。
【００３２】
消音器付ハンマードリル１ａは、消音器４が着脱可能であり、ハンマードリル２に対して簡単に取り付けることができるので、使用者も作業しやすい。また、騒音を小さくすることができるので、作業現場の近隣に迷惑を掛けることなく作業することができる。
【００３３】
図９は、本発明である消音器付ハンマードリルの第２実施例の接続部周辺の断面図であり、図１０は、本発明である消音器付ハンマードリルの第２実施例の接続部を取り外した状態を示す図である。
【００３４】
ハンマードリル２の接続部１１は、エンジンの排気ガスを排気するための孔９ｈなど騒音が漏れる箇所に取り付ける。排気孔には遮音シート９ｅも付されるが不十分であるので、該当箇所の周囲を完全に覆うことで遮音効果を高める。
【００３５】
接続部１１の上下端である縁１１ｇをハンマードリル２に密着させることで騒音が外に漏れるのを防止し、更に接続部本体１１ａの内周面に設けた溝１１ｅに音を反響させることで騒音を和らげる。
【００３６】
接続部本体１１ａの外周上には突起１１ｂが設けられる。突起１１ｂの内部は、接続部本体１１ａの内周面から外部へ孔１１ｆが貫通する。また、突起１１ｂの外周面のネジ山１１ｃに対し、ホース３を接続した連結部１０が螺着される。
【００３７】
接続部１１から消音器４までは内部が中空に繋がり、接続部１１内の騒音が、排気ガスなどと共に、突起１１ｂ内の孔１１ｆから連結部１０内及びホース３内を通って消音器４に送られ排出される。
【００３８】
図１１は、本発明である消音器付ハンマードリルの第２実施例の接続部の正面図であり、図１２は、本発明である消音器付ハンマードリルの第２実施例の接続部の平面図であり、図１３は、本発明である消音器付ハンマードリルの第２実施例の開いた状態の接続部の斜視図である。
【００３９】
接続部１１は、内部が中空１１ｄである環状の接続部本体１１ａと、接続部本体１１ａの外周状に設けられる突起１１ｂからなる。更に接続部本体１１ａは、半円筒状の前体１１ｉと後体１１ｊに分けることができる。
【００４０】
接続部本体１１ａの内周面は、溝１１ｅにより中央付近が凹んでおり、騒音や排気ガス圧を緩和する。また、接続部本体１１ａの上端及び下端である縁１１ｇを、内側の中空１１ｄ箇所を通るハンマードリル２に密着させることで騒音漏れを防ぐ。
【００４１】
突起１１ｂは、内部に孔１１ｆが貫通し、外周面にネジ山１１ｃが形成された管状の部材である。突起１１ｂには、連結部１０を取り付けるが、ホース３と接続形状が合っていれば、直接ホース３を接続することもできる。
【００４２】
接続部１１は、突起１１ｂが付いた前体１１ｉの接合面１１ｈと、突起１１ｂのない後体１１ｊの接合面１１ｈとを合わせることでハンマードリル２に取り付ける。尚、接合面１１ｈは、溶接又はその他の手段により接着する。
【００４３】
接続部１１を環状にすることにより、ハンマードリル２の騒音発生箇所の密閉性が高くなって遮音効果を向上させることができる。また、半円筒状の部材を合わせることで取り付けることができるので、着脱が容易にあり作業性も向上する。
【図面の簡単な説明】
【００４４】
【図１】本発明である消音器付ハンマードリルの正面図である。
【図２】本発明である消音器付ハンマードリルのハンマードリルの正面図である。
【図３】本発明である消音器付ハンマードリルのハンマードリルの接続部の正面拡大図である。
【図４】本発明である消音器付ハンマードリルのハンマードリルの接続部の側面拡大図である。
【図５】本発明である消音器付ハンマードリルのハンマードリルの接続部の側面断面図である。
【図６】本発明である消音器付ハンマードリルの消音器の断面図である。
【図７】本発明である消音器付ハンマードリルの第２実施例の斜視図である。
【図８】本発明である消音器付ハンマードリルの第２実施例の正面図である。
【図９】本発明である消音器付ハンマードリルの第２実施例の接続部周辺の断面図である。
【図１０】本発明である消音器付ハンマードリルの第２実施例の接続部を取り外した状態を示す図である。
【図１１】本発明である消音器付ハンマードリルの第２実施例の接続部の正面図である。
【図１２】本発明である消音器付ハンマードリルの第２実施例の接続部の平面図である。
【図１３】本発明である消音器付ハンマードリルの第２実施例の開いた状態の接続部の斜視図である。
【符号の説明】
【００４５】
１      消音器付ハンマードリル
１ａ    消音器付ハンマードリル
２      ハンマードリル
３      ホース
３ａ    本体
３ｂ    中空
４      消音器
４ａ    消音器本体
４ｂ    ホース接続部
４ｃ    排出部
４ｄ    グラスウール
４ｅ    パンチングパイプ
４ｆ    孔
５      駆動部
５ａ    駆動部本体
５ｂ    ハンドル
５ｃ    タンク
６      可動部
６ａ    本体
７      接続部
８      作動部
８ａ    棒
８ｂ    先端
９      固定部
９ａ    固定部本体
９ｂ    ナット
９ｃ    接続部
９ｄ    ネジ山
９ｅ    遮音シート
９ｆ    孔
９ｇ    孔
９ｈ    孔
１０      連結部
１０ａ    連結部本体
１０ｂ    連結部材
１０ｃ    突起
１０ｄ    中空
１１      接続部
１１ａ    接続部本体
１１ｂ    突起
１１ｃ    ネジ山
１１ｄ    中空
１１ｅ    溝
１１ｆ    孔
１１ｇ    縁
１１ｈ    接合面
１１ｉ    前体
１１ｊ    後体
【図１】
2006051595.tif 000003
【図２】
2006051595.tif 000004
【図３】
2006051595.tif 000005
【図４】
2006051595.tif 000006
【図５】
2006051595.tif 000007
【図６】
2006051595.tif 000008
【図７】
2006051595.tif 000009
【図８】
2006051595.tif 000010
【図９】
2006051595.tif 000011
【図１０】
2006051595.tif 000012
【図１１】
2006051595.tif 000013
【図１２】
2006051595.tif 000014
【図１３】
2006051595.tif 000015